(57)【特許請求の範囲】
【請求項１】
ＬＥＤと、該ＬＥＤが実装される実装基板と、該実装基板の配線と電気的に接続され前記ＬＥＤへ給電する電路を構成する電線と、を備え、
前記実装基板は、平面視において、前記電線を導出させる導出方向と交差する交差方向の両縁の各々に、前記交差方向に延びたスリットを有しており、
前記電線は、第１電線と第２電線とを備え、
前記第１電線は、前記実装基板の前記両縁のうちの一方の縁に設けられた前記スリットにおいて、前記実装基板の厚み方向に沿って嵌め入れられ、
前記第２電線は、前記実装基板の前記両縁のうちの他方の縁に設けられた前記スリットにおいて、前記実装基板の厚み方向に沿って嵌め入れられ、
前記第１電線及び前記第２電線は、前記導出方向に導出されて互いに束ねられていることを特徴とする照明装置。
【請求項２】
前記実装基板は、複数の前記スリットを有しており、前記電線は、前記複数のスリットのうちの２つ以上の前記スリットに嵌め入れられていることを特徴とする請求項１に記載の照明装置。
【請求項３】
前記実装基板は、前記スリットのスリット幅が、前記電線の外径の０．８倍以上であることを特徴とする請求項１または請求項２に記載の照明装置。
【請求項４】
前記実装基板は、平面視において、外部に向かって開口する前記スリットの開口端部が、Ｃ面またはＲ面を有していることを特徴とする請求項１ないし請求項３のいずれか１項に記載の照明装置。
【請求項５】
前記実装基板は、前記電線を前記導出方向に案内するガイド部を前記スリットに設けていることを特徴とする請求項１ないし請求項４のいずれか１項に記載の照明装置。
【請求項６】
前記実装基板は、前記ＬＥＤのアノードと電気的に接続される前記電線を嵌め入れる前記スリットと、前記ＬＥＤのカソードと電気的に接続される前記電線を嵌め入れる前記スリットとの数が異なっていることを特徴とする請求項１ないし請求項５のいずれか１項に記載の照明装置。
【請求項７】
請求項１ないし請求項６のいずれか１項に記載の照明装置と、該照明装置を保持する器具本体と、を備えたことを特徴とする照明器具。
【請求項８】
ＬＥＤと、該ＬＥＤが実装される実装基板と、該実装基板の配線と電気的に接続され前記ＬＥＤへ給電する電路を構成する電線と、を備え、
前記実装基板は、平面視において、前記電線を導出させる導出方向と交差する方向にスリットを有しており、
前記電線は、前記実装基板の厚み方向に沿って、前記スリットに嵌め入れられ、
前記実装基板は、前記ＬＥＤのアノードと電気的に接続される前記電線を嵌め入れる前記スリットと、前記ＬＥＤのカソードと電気的に接続される前記電線を嵌め入れる前記スリットとの数が異なっていることを特徴とする照明装置。
【発明の詳細な説明】
【技術分野】
【０００１】
本発明は、照明装置およびそれを備えた照明器具に関する。
【背景技術】
【０００２】
近年、ＬＥＤ(Light Emitting Diode)が実装基板に実装された照明装置および照明装置を備えた照明器具が利用されている。
【０００３】
この種の照明器具としては、口出線を有する発光ダイオードを光源とするＬＥＤ照明器具において、口出線の動きを拘束させる張力止機構部品を、筐体に粘着設置させた構成が知られている（たとえば、特許文献１）。
【０００４】
特許文献１では、外部電源電線との接続に口出線が用いられている。張力止機構部品は、筐体端部近辺に設けられている。張力止機構部品は、口出線が通過する部分に複数の突起を互い違いに設けている。張力止機構部品は、複数の突起により口出線を凹凸に変形させ、口出線の動きを拘束させる。
【０００５】
特許文献１では、張力止機構部品を用いることで、口出線に接続されている器具内部の電気的接続点に張力が加わっても、電気接続が損なわれることなく、信頼性を高くできる、とされている。
【０００６】
また、照明器具に利用できる構成として、内部に空間を持つ外郭部材の中に位置するコードに、張力止め具を取り付けた構成も知られている（たとえば、特許文献２）。
【０００７】
特許文献２では、コードの一端が外部部材に設ける末端機器に接続され、他端にプラグが設けられている。張力止め具は、コードを相対移動不可に拘束している。特許文献２では、張力止め具が外郭部材の内壁に突き当たったときに、外側から引く作用力を張力止め具によって外郭部材側に伝達し、コードには張力を発生させないように構成されている。
【先行技術文献】
【特許文献】
【０００８】
【特許文献１】登録第３１８２４３４号公報
【特許文献２】実開平５−６７０６４号公報
【発明の概要】
【発明が解決しようとする課題】
【０００９】
ところで、照明器具では、より簡単な構成で、電線の張力止めを行うことができる構成が求められており、上述の特許文献１の構成や特許文献２を利用した構成だけでは十分でなく、更なる改良が求められている。
【００１０】
本発明の目的は、より簡単な構成で、電線の張力止めを行うことができる照明装置およびそれを備えた照明器具を提供することにある。
【課題を解決するための手段】
【００１１】
本発明の照明装置は、ＬＥＤと、実装基板と、電線と、を備えている。上記実装基板には、上記ＬＥＤが実装されている。上記電線は、上記実装基板の配線と電気的に接続されている。上記電線は、上記ＬＥＤへ給電する電路を構成している。上記実装基板は、平面視において、上記電線を導出させる導出方向と交差する交差方向の両縁の各々に、上記交差方向に延びたスリットを有している。上記電線は、第１電線と第２電線とを備えている。上記第１電線は、上記実装基板の上記両縁のうちの一方の縁に設けられた上記スリットにおいて、上記実装基板の厚み方向に沿って嵌め入れられている。上記第２電線は、上記実装基板の上記両縁のうちの他方の縁に設けられた上記スリットにおいて、上記実装基板の厚み方向に沿って嵌め入れられている。上記第１電線及び上記第２電線は、上記導出方向に導出されて互いに束ねられていることを特徴とする。
また、本発明の照明装置は、ＬＥＤと、実装基板と、電線と、を備えている。上記実装基板には、上記ＬＥＤが実装されている。上記電線は、上記実装基板の配線と電気的に接続されている。上記電線は、上記ＬＥＤへ給電する電路を構成している。上記実装基板は、平面視において、上記電線を導出させる導出方向と交差する方向にスリットを有している。上記電線は、上記実装基板の厚み方向に沿って、上記スリットに嵌め入れられている。上記実装基板は、上記ＬＥＤのアノードと電気的に接続される上記電線を嵌め入れる上記スリットと、上記ＬＥＤのカソードと電気的に接続される上記電線を嵌め入れる上記スリットとの数が異なっていることを特徴とする。
【００１２】
本発明の照明器具は、上述の上記照明装置と、上記照明装置を保持する器具本体と、を備えたことを特徴とする。
【発明の効果】
【００１３】
本発明の照明装置は、より簡単な構成で、電線の張力止めを行うことができる。
【００１４】
本発明の照明器具は、より簡単な構成で、電線の張力止めを行う照明装置を備えた構成にできる。
【図面の簡単な説明】
【００１５】
【図１】実施形態１における照明装置および照明器具を示し、図１Ａは、照明器具を説明する一部破断した正面図、図１Ｂは、図１Ａの要部を拡大した断面図である。
【図２】実施形態１における照明装置および照明器具を示し、図２Ａは、照明器具を説明する一部破断した平面図、図２Ｂは、図２Ａの要部を拡大した断面図である。
【図３】実施形態１における照明装置および照明器具を示す側断面図である。
【図４】実施形態１における照明器具の要部を示す斜視図である。
【図５】実施形態１における照明装置および照明器具を示し、図５Ａは取付部材に取り付けられた状態の一部省略した側面図、図５Ｂは取付部材に取り付けられた別の状態の一部省略した側面図である。
【図６】実施形態１における照明器具が用いられた冷蔵ショーケースを説明する正面図である。
【図７】実施形態１における別の照明装置および照明器具を示し、図７Ａは、照明器具の一部破断した正面側の断面図、図７Ｂは、照明器具の一部破断した平面側の断面図である。
【図８】実施形態１の他の照明装置の要部を示す一部破断した正面図である。
【図９】実施形態１の更に別の照明装置の要部を示す一部破断した正面図である。
【図１０】実施形態２の照明装置を示す一部破断した正面図である。
【図１１】実施形態３の照明装置を示す一部破断した正面図である。
【発明を実施するための形態】
【００１６】
（実施形態１）
以下では、本実施形態の照明装置１０について、図１および図２に基づいて説明する。図１ないし図６では、本実施形態の照明装置１０を備えた照明器具３０について説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１７】
本実施形態の照明装置１０は、図１および図２に示すように、ＬＥＤ１と、実装基板２と、電線３ａと、を備えている。実装基板２には、ＬＥＤ１が実装されている。電線３ａは、実装基板２の配線と電気的に接続されている。電線３ａは、ＬＥＤ１へ給電する電路を構成している。実装基板２は、平面視において、電線３ａを導出させる導出方向と交差する方向に、スリット４を有している。電線３ａは、実装基板２の厚み方向に沿って、スリット４に嵌め入れられている。
【００１８】
本実施形態の照明装置１０は、実装基板２が電線３ａを導出させる導出方向と交差する方向にスリット４を有しており、電線３ａが実装基板２の厚み方向に沿ってスリット４に嵌め入れられる、より簡単な構成で、電線の張力止めを行うことができる。
【００１９】
以下では、本実施形態の照明装置１０の各構成について詳細に説明する。
【００２０】
本実施形態の照明装置１０は、ＬＥＤ１と実装基板２と電線３ａとに加え、端子部６と、雌コネクタ７と、定電流回路を構成する電子部品と、を備えている。
【００２１】
ＬＥＤ１は、図１Ｂに示すように、ＬＥＤチップ１ａと、パッケージ１ｂと、封止部１ｃと、を備えている。パッケージ１ｂは、ＬＥＤチップ１ａを収容する凹部を備えている。封止部１ｃは、ＬＥＤチップ１ａを覆うように凹部に充填されている。封止部１ｃは、透光性封止材料を用いることができる。透光性封止材料は、たとえば、シリコーン樹脂、エポキシ樹脂やガラスなどを用いることができる。封止部１ｃには、ＬＥＤチップ１ａから放射される光により励起されて、蛍光を放射する蛍光体が含有されている。
【００２２】
ＬＥＤ１は、たとえば、ＬＥＤチップ１ａから放射される青色光と、蛍光体から放射される黄色光との混色により、白色光を放射させることができる。ＬＥＤ１は、ＬＥＤチップ１ａや蛍光体の種類を代えることで、白色光だけでなく、たとえば、電球色の光を放射できるように構成されていてもよい。
【００２３】
実装基板２は、長尺状で平板の外形形状をしている。実装基板２は、一表面２ａａおよび一表面２ａａと反対の他表面２ａｂに所定形状の配線が形成されている。実装基板２では、一表面２ａａ側の配線と他表面２ａｂ側の配線とが、厚み方向に貫通する貫通配線により電気的に接続されている。実装基板２は、ＬＥＤ１、端子部６、雌コネクタ７や定電流回路を構成する電子部品の実装面を除いて、配線を覆うようにレジスト膜が形成されている。実装基板２は、一表面２ａａにおいて、長手方向に沿って複数個のＬＥＤ１が、短手方向における中央部に実装されている。実装基板２では、ＬＥＤ１が等間隔に並ぶように配置されている。実装基板２には、たとえば、２１個のＬＥＤ１を実装させることができる。実装基板２は、一表面２ａａにおいて、長手方向の一端側における短手方向の両端部に、一対の端子部６が実装されている。実装基板２は、一表面２ａａにおいて、長手方向の他端側における短手方向の両端部に、一対の雌コネクタ７が実装されている。
【００２４】
実装基板２は、半田により、一表面２ａａに形成された配線の一部に、ＬＥＤ１が実装されている。実装基板２は、配線により、複数個のＬＥＤ１を電気的に直列接続させている。実装基板２は、複数個のＬＥＤ１を電気的に直列接続させた構成だけに限られず、電気的に並列接続させた構成でもよいし、直並列接続させた構成でもよい。
【００２５】
実装基板２は、半田により、端子部６が配線の一部に実装されている。実装基板２は、配線を介して、複数個のＬＥＤ１と端子部６とを電気的に接続させている。実装基板２は、半田により、雌コネクタ７が配線の一部に実装されている。実装基板２は、配線を介して、端子部６と雌コネクタ７とを電気的に接続させている。
【００２６】
実装基板２には、たとえば、７個のＬＥＤ１の直列回路ごとに１つずつ定電流回路が設けられている。定電流回路は、実装基板２の他表面２ａｂに形成されている。実装基板２は、たとえば、２１個のＬＥＤ１を備えている場合、３つの定電流回路が形成される。３つの定電流回路は、全て共通の回路構成を有している。３つの定電流回路は、一対の端子部６に対して、電気的に並列接続されている。
【００２７】
定電流回路は、たとえば、トランジスタと、抵抗と、を備えた構成とすることができる。３つの定電流回路それぞれは、一対の端子部６の間に所定の直流電圧が印加される場合、ＬＥＤ１に流れる電流を一定にさせるように構成されている。
【００２８】
実装基板２は、図１Ｂに示すように、長手方向の一端と端子部６との間に、複数のスリット４を有している。図１Ｂでは、３つのスリット４が設けられている。以下では、端子部６に最も近いスリット４を第１スリット４ａ１と称し、実装基板２の長手方向の一端に最も近いスリット４を第３スリット４ａ３と称し、第１スリット４ａ１と第３スリット４ａ３との間に設けられたスリット４を第２スリット４ａ２と称する。
【００２９】
第１スリット４ａ１と第２スリット４ａ２と第３スリット４ａ３とは、それぞれ実装基板２の長手方向と直交する短手方向に沿って長尺状に設けられている。第１スリット４ａ１と第２スリット４ａ２と第３スリット４ａ３とは、それぞれ実装基板２の長手方向に沿って、互いに平行方向に配置されている。第１スリット４ａ１と第２スリット４ａ２と第３スリット４ａ３とは、それぞれ実装基板２の外縁を切り欠くように、外部に向かって開口している。第１スリット４ａ１と第２スリット４ａ２と第３スリット４ａ３とは、それぞれ異なる形状に形成されているが、同じ形状に形成されていてもよい。
【００３０】
実装基板２は、たとえば、ガラスエポキシ樹脂基板を用いることができる。実装基板２は、ガラスエポキシ樹脂基板だけに限られず、たとえば、セラミック基板、金属ベースプリント配線板などを用いてもよい。
【００３１】
電源ケーブル３は、図１Ｂに示すように、２本の電線３ａと、保護チューブ３ｂと、プラグコネクタ３ｃと、を備えている。電線３ａは、芯線が被膜で被覆された被覆電線が用いられている。電線３ａは、第１電線３ｓと、第２電線３ｔと、を備えている。第１電線３ｓは、ＬＥＤ１のアノードと電気的に接続される。第２電線３ｔは、ＬＥＤ１のカソードと電気的に接続される。保護チューブ３ｂは、第１電線３ｓおよび第２電線３ｔを覆って保護するように設けられている。保護チューブ３ｂは、筒状の熱収縮チューブが用いられる。プラグコネクタ３ｃは、一端が端子部６と接続される電線３ａの一端とは反対側の先端部に設けられている。プラグコネクタ３ｃは、対となるレセプタクルコネクタと挿抜できるように構成されている。レセプタクルコネクタは、照明装置１０の外部に設けられた直流電源装置における出力ケーブルの先端に設けられている。直流電源装置は、たとえば、スイッチング電源回路を有し、電力系統から供給される交流電圧を、直流電圧に変換して出力できるように構成されていればよい。
【００３２】
端子部６は、配線によりＬＥＤ１へ給電する電路の一部を構成するように構成されている。端子部６は、電線３ａの一端と電気的に接続されるように構成されている。端子部６は、電線３ａの芯線と電気的に接続できるように構成されている。端子部６は、工具を用いずに電線３ａの接続を行うことができる速結端子で構成されている。端子部６は、速結端子だけに限られず、コネクタで構成されてもよい。実装基板２では、必ずしも端子部６が設けられている必要がなく、半田などにより電線３ａの他端が直接的に実装基板２における配線の一部と電気的に接続される構成でもよい。
【００３３】
雌コネクタ７は、実装基板２と別途に設けられた配線基板における雄コネクタと接続させることができるように構成されている。照明装置１０は、雄コネクタと雌コネクタ７とが接続されれば、実装基板２から配線基板へ給電させることができる。配線基板は、たとえば、実装基板２からの給電により、配線基板に実装されたＬＥＤ１が点灯できるように構成されている。言い換えれば、雌コネクタ７は、配線基板への送り配線に用いることができる。
【００３４】
以下では、本実施形態の照明装置１０を備えた照明器具３０について説明する。
【００３５】
照明器具３０は、図１ないし図６に示すように、照明装置１０と、器具本体３１と、を備えている。器具本体３１は、照明装置１０を保持することができるように構成されている。
【００３６】
器具本体３１は、長尺状に形成されている。器具本体３１は、本体部３２と、エンドキャップ３３と、を備えている。
【００３７】
本体部３２は、長尺の筒状の外形形状をしている。本体部３２の内部には、照明装置１０が収容できるように構成されている。本体部３２は、図３に示すように、光出射部３２ａと、ベース部３２ｂと、一対の側壁３２ｃと、を備えている。光出射部３２ａは、半円筒状の外形形状をしている。光出射部３２ａの内周面には、複数の凹凸３２ｄが形成されている。照明器具３０では、照明装置１０のＬＥＤ１から放射される光が、光出射部３２ａを透過する際に、複数の凹凸３２ｄで拡散される。
【００３８】
一対の側壁３２ｃは、光出射部３２ａの両端から延びるように、光出射部３２ａと一体に形成されている。側壁３２ｃには、図３に示すように、本体部３２の長手方向から見て、外方に向かって突出するＶ字形状の引掛部３２ｅを備えている。側壁３２ｃには、照明装置１０の実装基板２を支持する支持片３２ｆが形成されている。支持片３２ｆは、平板状の外形形状をしている。支持片３２ｆは、側壁３２ｃに沿って、長尺状に形成されている。支持片３２ｆは、本体部３２の長手方向から見て、側壁３２ｃの内側面における中央部から光出射部３２ａと反対のベース部３２ｂ側に突出するように設けられている。実装基板２は、ＬＥＤ１を光出射部３２ａに対向させ、短手方向の両端部を支持片３２ｆに載せ置かれるようにして、支持片３２ｆに支持される。
【００３９】
ベース部３２ｂは、長尺の矩形板状の外形形状をしている。ベース部３２ｂは、短手方向の両端で側壁３２ｃと連結されるように形成されている。ベース部３２ｂは、本体部３２の長手方向から見て、中央部に凹部３２ｇが形成されている。凹部３２ｇは、ベース部３２ｂの長手方向に沿って、ベース部３２ｂの全長に渡って形成されている。凹部３２ｇの両端には、ベース部３２ｂの厚み方向に沿って、外方に向かって突出する第１突部３２ｈが形成されている。第１突部３２ｈは、矩形板状の外形形状をしている。第１突部３２ｈは、ベース部３２ｂの長手方向に沿って、ベース部３２ｂの全長に渡って形成されている。
【００４０】
ベース部３２ｂには、ベース部３２ｂの厚み方向に沿って、光出射部３２ａに向かって突出する第２突部３２ｊを備えている。第２突部３２ｊは、矩形板状の外形形状をしている。第２突部３２ｊは、ベース部３２ｂの長手方向に沿って、全長に渡って形成されている。第２突部３２ｊは、ベース部３２ｂの短手方向において、凹部３２ｇの外側に設けられている。一対の第２突部３２ｊは、対向するように設けられている。本体部３２は、一対の第１突部３２ｈおよび一対の第２突部３２ｊにより、機械的強度の向上が図られている。
【００４１】
本体部３２は、光出射部３２ａとベース部３２ｂと一対の側壁３２ｃとが一体的に形成されている。本体部３２は、透光性を有する樹脂材料によって形成されている。本体部３２は、たとえば、ポリカーボネート樹脂やアクリル樹脂などの樹脂材料を用いて形成することができる。本体部３２は、たとえば、押出成形により形成することができる。本体部３２は、透光性の樹脂材料に光拡散材を含有させて形成されていてもよい。
【００４２】
エンドキャップ３３は、図１および図２に示すように、本体部３２の長手方向の端部に設けられる。エンドキャップ３３は、図４に示すように、有底筒状の外形形状に形成されている。エンドキャップ３３は、周壁部３３ａと、底壁部３３ｂと、を備えている。周壁部３３ａは、筒状の外形形状をしている。周壁部３３ａは、本体部３２の端部に装着できるように、本体部３２の端部の外形よりも若干大きい外形形状に形成されている。エンドキャップ３３は、本体部３２に装着された場合、周壁部３３ａが本体部３２の外側面に密着する。
【００４３】
底壁部３３ｂは、周壁部３３ａで囲まれる筒状の空間の一端を塞ぐように形成される。底壁部３３ｂの内底面には、突片３３ｄが、底壁部３３ｂの厚み方向に沿って突出するように形成されている。突片３３ｄは、図５に示すように、弧状に湾曲した板状の外形形状に形成されている。底壁部３３ｂは、突片３３ｄにより、機械的強度の向上が図られている。
【００４４】
照明器具３０は、図１に示すように、２つのエンドキャップ３３のうちの片方において、電源ケーブル３の電線３ａが挿通される一対の孔３３ｂａが底壁部３３ｂの厚み方向に貫通されている。エンドキャップ３３は、可撓性を有する材料によって形成されている。エンドキャップ３３の材料としては、たとえば、シリコーン樹脂やウレタン樹脂などが挙げられる。
【００４５】
以下では、照明器具３０の組立工程について簡単に説明する。
【００４６】
組立工程では、ＬＥＤ１、端子部６および雌コネクタ７を一表面２ａａに実装した実装基板２を予め準備する。実装基板２の他表面２ａｂ側には、定電流回路を構成する電子部品が実装されている。組立工程では、エンドキャップ３３の孔３３ｂａに挿通させた電線３ａの一端側の芯線を、端子部６と電気的に接続させるとともに固定させる。端子部６は、実装基板２の長手方向に沿って、電線３ａを導出できるように、一表面２ａａに実装されている。言い換えれば、電線３ａは、電線３ａを導出させる導出方向を、実装基板２の長手方向に沿うように、端子部６に固定されている。組立工程では、端子部６に固定された電線３ａを、実装基板２の長手方向と直交する方向から複数のスリット４に嵌め入れる。
【００４７】
実装基板２では、端子部６に固定され導出方向に沿った電線３ａが、一表面２ａａから第１スリット４ａ１に挿入される。一表面２ａａから第１スリット４ａ１に挿入された電線３ａは、他表面２ａｂにおいて、導出方向に沿って実装基板２の一端に向かうように配置される。実装基板２では、他表面２ａｂにおいて、導出方向に沿って実装基板２の一端に向かうように配置された電線３ａが、他表面２ａｂから第２スリット４ａ２に挿入される。他表面２ａｂから第２スリット４ａ２に挿入された電線３ａは、一表面２ａａにおいて、導出方向に沿って実装基板２の一端に向かうように配置される。実装基板２では、一表面２ａａにおいて、導出方向に沿って実装基板２の一端に向かうように配置された電線３ａが、一表面２ａａから第３スリット４ａ３に挿入される。一表面２ａａから第３スリット４ａ３に挿入された電線３ａは、他表面２ａｂに沿って導出することができるように配置される。
【００４８】
次に、組立工程では、照明装置１０における実装基板２を支持片３２ｆに載せ置くように、本体部３２の端部から本体部３２の内部に照明装置１０が挿入される。組立工程では、エンドキャップ３３が本体部３２の長手方向の両端部に取付けられることで、照明装置１０を器具本体３１と一体的に固定することができる。
【００４９】
照明器具３０は、本体部３２の内部に照明装置１０が収容され、本体部３２の両端にエンドキャップ３３がそれぞれ装着されることで組み立てられる。照明器具３０は、電源ケーブル３を介して、直流電源装置から直流電力が供給されることにより、照明装置１０を点灯させることができる。
【００５０】
組み立てられた照明器具３０は、図５Ａおよび図５Ｂに示すように、取付部材３６を用いて任意の場所に設置される。取付部材３６は、固定ねじ３７により、固定されることができるように構成されている。取付部材３６は、固定板３６ａと、第１ばね片３６ｂと、第２ばね片３６ｃと、を備えている。固定板３６ａは、矩形平板状に形成されている。固定板３６ａの中央には、固定ねじ３７を挿通させるねじ挿通孔が貫通している。第１ばね片３６ｂは、長手方向から見て、Ｚ字状に形成されている。第１ばね片３６ｂは、固定板３６ａの一端部に連結されている。第１ばね片３６ｂは、第１引掛凹部３６ｄを有している。第１引掛凹部３６ｄは、第２ばね片３６ｃに対して凹むように設けられている。第２ばね片３６ｃは、固定板３６ａの一端部と反対の他端部に連結されている。第２ばね片３６ｃは、第２引掛凹部３６ｅと、第３引掛凹部３６ｆと、を有している。第２引掛凹部３６ｅと第３引掛凹部３６ｆとは、それぞれ第１ばね片３６ｂに対して凹むように設けられている。
【００５１】
照明器具３０は、図５Ａに示すように、一方の側壁３２ｃの引掛部３２ｅが、第１ばね片３６ｂにおける第１引掛凹部３６ｄに引っ掛けられる。照明器具３０は、他方の側壁３２ｃの引掛部３２ｅが、第２ばね片３６ｃにおける第２引掛凹部３６ｅに引っ掛けられて取付部材３６に取り付けられるように設置される。本体部３２は、図５Ａに示すように、ベース部３２ｂに設けられた凹部３２ｇによって、固定ねじ３７の頭部３７ａとの干渉を回避することができる。
【００５２】
照明器具３０は、図５Ａに示すように取付部材３６に固定され、設置される場合だけでなく、図５Ｂに示すように設置させることもできる。図５Ｂに示す照明器具３０では、一方の側壁３２ｃの引掛部３２ｅが、第１ばね片３６ｂにおける第１引掛凹部３６ｄに引っ掛けられる。照明器具３０は、他方の側壁３２ｃの引掛部３２ｅが、第２ばね片３６ｃにおける第３引掛凹部３６ｆに引っ掛けられて、取付部材３６に取り付けられるように設置されている。
【００５３】
本実施形態の照明器具３０は、たとえば、図６に示す冷蔵ショーケース４０に用いることができる。冷蔵ショーケース４０は、スーパーマーケットやコンビニエンスストアなどの店舗に設置され、商品を陳列しながら冷蔵するように構成されている。冷蔵ショーケース４０は、前方に開放された陳列室４０ａａを有する。陳列室４０ａａには、商品を陳列するための陳列棚４１が、上下方向に間隔を空けて複数段設けられている。照明器具３０は、各陳列棚４１に陳列されている商品を、それぞれの上段の陳列棚４１の前方かつ上方から照明するように設置される。照明器具３０は、各段の陳列棚４１における前方の下面側に、複数個の取付部材３６を用いて取り付けることができる。
【００５４】
以下では、本実施形態の照明装置１０の実装基板２が電線３ａを嵌め込むスリット４を有する構成で、電線３ａの張力止めを行うことができることについて説明する。
【００５５】
ところで、照明装置では、照明装置の組立工程や設置の際、実装基板と接続された電線が実装基板から離れるように引っ張られる場合がある。照明装置は、電線が引っ張られた場合、実装基板と電線とが接続されている端子部に機械的なストレスがかかり、電線と実装基板との電気的な接触不良または断線が生ずるおそれがある。
【００５６】
照明装置は、別途に形成された張力止め具を備える器具本体で、電線の張力止めを行なうことができるものの、別途に形成された張力止め具を備える構成では、器具本体全体の小型化が難しく、組み立て作業性が低下するおそれがある。
【００５７】
本実施形態の照明装置１０では、実装基板２にスリット４を設け、スリット４に電線３ａを嵌め込んだ構成により、電線３ａが引っ張られた場合でも電線３ａに接続されている端子部６に力が掛かることを抑制し、実装基板２自体で電線３ａを保持することができる。本実施形態の照明装置１０は、別途に形成された張力止め具を用いることなく、実装基板２自体で電線３ａの張力止めを行うことができるため、照明器具３０全体の小型化を図ることができる。本実施形態の照明装置１０は、実装基板２に設けられたスリット４に電線３ａを嵌め入れるだけで、電線３ａの張力止めを行うことができるため、組み立て作業性を向上させることができる。
【００５８】
さらに、本実施形態の照明装置１０は、電線３ａがスリット４に嵌め入れられて固定されているため、実装基板２の一表面２ａａや他表面２ａｂから離れるように浮くことを抑制することができる。照明装置１０は、電線３ａが実装基板２の一表面２ａａや他表面２ａｂから離れるように浮くことを抑制できるため、器具本体３１に収納されＬＥＤ１が点灯された際、電線３ａの影が本体部３２の外部から視認されることを抑制し、見栄えをよくすることができる。
【００５９】
本実施形態の照明装置１０では、実装基板２は、複数のスリット４を有している。電線３ａは、複数のスリット４のうちの２つ以上のスリット４に嵌め入れられていることが好ましい。
【００６０】
本実施形態の照明装置１０は、複数のスリット４のうちの２つ以上のスリット４に電線３ａが嵌め入れられていることで、電線３ａの引っ張り強度を高くすることができる。照明装置１０は、電線３ａを通すスリット４の数が多くなるほど電線３ａの引っ張りに対する強度が強くなる傾向にあり、端子部６にかかる機械的なストレスを低減させることができる。
【００６１】
本実施形態の照明装置１０では、図１Ｂに示すように、実装基板２は、スリット４のスリット幅４ａａが、電線３ａの外径の０．８倍以上であることが好ましい。
【００６２】
照明装置１０では、スリット４のスリット幅４ａａが、電線３ａの外径の０．８倍以上であることにより、電線３ａをスリット４に嵌め入れやすく、組み立て作業性を向上させることができる。特、実装基板２では、電線３ａに対し、スリット幅４ａａが狭すぎると、電線３ａを嵌め入れた実装基板２の撓みが大きくなり過ぎる傾向にある。スリット４は、スリット幅４ａａが広すぎると、電線３ａの張力止めを行う機能が低くなる傾向にある。スリット４は、電線３ａの外径の０．８倍以上２．０倍未満であることが、より好ましい。
【００６３】
本実施形態の照明装置１０では、実装基板２の長手方向の一端と端子部６との間にだけスリット４が設けられる構成に限られない。照明装置１０は、図７に示すように、端子部６を介して、実装基板２の長手方向の一端と反対側にスリット４を有する構成でもよい。照明装置１０は、端子部６を介して、実装基板２の長手方向の一端と反対側にスリット４を有することで、電線３ａの張力止めを行う機能を高めることができる。
【００６４】
本実施形態の照明装置１０では、図８に示すように、実装基板２は、平面視において、外部に向かって開口するスリット４の開口端部４ａが、Ｃ面を有していることが好ましい。
【００６５】
照明装置１０では、実装基板２の平面視において、スリット４の開口端部４ａが直角に形成されている場合、電線３ａをスリット４に通しにくく、組み立て作業性が低下するおそれがある。照明装置１０では、実装基板２の平面視において、スリット４の開口端部４ａが、Ｃ面を有することで、電線３ａをスリット４に嵌め入れやすくでき、組み立て作業性を向上させることができる。照明装置１０では、実装基板２の平面視において、スリット４の開口端部４ａがＣ面を有する場合、実装基板２の切り欠き加工により、スリット４を比較的簡単に形成させることができる。
【００６６】
また、本実施形態の照明装置１０では、図９に示すように、実装基板２は、平面視において、外部に向かって開口するスリット４の開口端部４ａが、Ｒ面を有していることが好ましい。
【００６７】
照明装置１０では、実装基板２の平面視において、スリット４の開口端部４ａが、Ｒ面を有することで、電線３ａをスリット４に嵌め入れやすくでき、組み立て作業性を向上させることができる。照明装置１０では、実装基板２の平面視において、スリット４の開口端部４ａがＲ面を有する場合、電線３ａをスリット４に嵌め入れる際に電線３ａにかかる負荷を低減することができる。
【００６８】
（実施形態２）
図１０に示す本実施形態の照明装置１０は、図１に示す実施形態１と同様の構成であり、実装基板２のスリット４にガイド部４ｂを備えた点が主として相違する。なお、本実施形態の照明装置１０では、実施形態１と同様の構成要素には同一の符号を付して説明を適宜省略する。
【００６９】
本実施形態の照明装置１０では、図１０に示すように、実装基板２は、電線３ａを導出方向に案内するガイド部４ｂをスリット４に設けている。
【００７０】
本実施形態の照明装置１０は、スリット４が電線３ａの導出方向を案内するガイド部４ｂを有する構成で、端子部６から電線３ａを導出方向に沿わせて這いまわすことが容易となり、電線３ａに加わる力をより低減させることができる。
【００７１】
以下では、本実施形態の照明装置１０の構成について説明する。
【００７２】
ガイド部４ｂは、実装基板２の平面視において、電線３ａを入れるスリット４のスリット幅４ａａよりも広がっている部分を備えている。ガイド部４ｂは、電線３ａを導出させる導出方向が実装基板２の長手方向に沿って、直線状に配置できる貫通孔により形成されている。
【００７３】
ガイド部４ｂは、平面視において、実装基板２の長手方向に沿って、長円形に形成されている。ガイド部４ｂは、長手方向の端部にＲ面が形成されていることにより、電線３ａを長手方向に沿わせた配置とすることが容易となる。ガイド部４ｂは、長円形だけでなく、楕円形でもよい。
【００７４】
照明装置１０は、ガイド部４ｂがない場合、電線３ａを直線状に配置させていても、実装基板２の弾性力に起因して、図１に示す一点鎖線のごとく、電線３ａがスリット４の開口端部４ａに近づくように変位するおそれがある。
【００７５】
本実施形態の照明装置１０では、ガイド部４ｂにより電線３ａが直線状に導出できるように構成され、第１電線３ｓと第２電線３ｔとが実装基板２の一端に向かうにつれ互いに離れて、スリット４の開口端部４ａに近づくように変位することを抑制することができる。
【００７６】
本実施形態の照明装置１０は、ガイド部４ｂを備えている限り、実施形態１の構成を適宜に採用することができる。本実施形態の照明装置１０は、実施形態１と同様に、器具本体３１に保持されて照明器具３０に用いることができる。
【００７７】
（実施形態３）
図１１に示す本実施形態の照明装置１０は、図１に示す実施形態１と同様の構成であり、第１電線３ｓを嵌め合わせるスリット４と、第２電線３ｔを嵌め合わせるスリット４の数が異ならせた実装基板２を用いる点が主として相違する。なお、本実施形態の照明装置１０では、実施形態１と同様の構成要素には同一の符号を付して説明を適宜省略する。
【００７８】
本実施形態の照明装置１０では、実装基板２は、ＬＥＤ１のアノードと電気的に接続される電線３ａを嵌め入れるスリット４と、ＬＥＤ１のカソードと電気的に接続される電線３ａを嵌め入れるスリット４との数が異なっている。
【００７９】
言い換えれば、本実施形態の照明装置１０では、極性の違う電線３ａごとに電線３ａを嵌め込むスリット４の数を異ならせている。
【００８０】
照明装置１０は、実装基板２の端子部６に電線３ａを接続させるにあたり、ＬＥＤ１に給電するアノード用の第１電線３ｓと、ＬＥＤ１に給電するカソード用の第２電線３ｔと、の電気的な誤接続を生ずることを抑制することができる。
【００８１】
本実施形態の照明装置１０は、スリット４の数を異ならせている限り、実施形態１および実施形態２の構成を適宜に採用することができる。本実施形態の照明装置１０は、実施形態１と同様に、器具本体３１に保持されて照明器具３０に用いることができる。
【符号の説明】
【００８２】
１  ＬＥＤ
２  実装基板
３ａ  電線
４  スリット
４ａ  開口端部
４ａａ  スリット幅
４ｂ  ガイド部
１０  照明装置
３０  照明器具
３１  器具本体
【図１】
0006604571.tif 000002
【図２】
0006604571.tif 000003
【図３】
0006604571.tif 000004
【図４】
0006604571.tif 000005
【図５】
0006604571.tif 000006
【図６】
0006604571.tif 000007
【図７】
0006604571.tif 000008
【図８】
0006604571.tif 000009
【図９】
0006604571.tif 000010
【図１０】
0006604571.tif 000011
【図１１】
0006604571.tif 000012